(57)【要約】  本発明の目的とするところは、ディスプレイ装置が携帯電話にアプリケーションを伝送し、携帯電話はアプリケーションを実行し、ユーザより特定情報を受け取って伝送し、ディスプレイ装置が特定情報に従ってアプリケーションの状態を制御するディスプレイ装置及び携帯電話の制御方法を提供することにある。  本発明はディスプレイ装置及び携帯電話の制御方法を提供する。本ディスプレイ装置の制御方法によると、ディスプレイ装置が携帯電話にアプリケーションを伝送し、携帯電話はアプリケーションを実行し、ユーザから特定情報を受け取って伝送し、ディスプレイ装置が特定情報に従ってアプリケーションの状態を制御するようになる。それにより、ユーザは携帯電話を用いてディスプレイ装置を制御できるようになる。
2013505631.tif 000002
【特許請求の範囲】
【請求項１】
携帯電話と通信できるように接続されたディスプレイ装置の制御方法において、
前記ディスプレイ装置で実行される第１アプリケーションと前記携帯電話で実行される第２アプリケーションとを保存するステップと、
前記第１アプリケーションを実行するステップと、
前記携帯電話に前記第２アプリケーションを伝送するステップと、
前記第２アプリケーションが前記携帯電話で実行されている状態で、前記携帯電話から特定情報を受信するステップと、
前記受信された特定情報に従って、前記第１アプリケーションの実行状態を制御するステップと
を含むディスプレイ装置の制御方法。
【請求項２】
前記特定情報は、
前記携帯電話に入力された情報であることを特徴とする請求項１に記載のディスプレイ装置の制御方法。
【請求項３】
前記特定情報は、
前記携帯電話に入力された情報を前記携帯電話が処理した結果情報であることを特徴とする請求項１に記載のディスプレイ装置の制御方法。
【請求項４】
前記携帯電話には前記特定情報としてユーザの音声情報が入力され、
前記特定情報の受信ステップは、
前記携帯電話に入力された音声情報を受信し、
前記制御ステップは、
前記受信された音声情報を音声認識を通じて文字情報として認識し、前記認識された文字情報に従って前記第１アプリケーションの実行状態を制御することを特徴とする請求項１に記載のディスプレイ装置の制御方法。
【請求項５】
前記携帯電話には前記特定情報としてユーザの音声情報が入力され、前記携帯電話は音声認識を通じて入力された音声情報を文字情報として認識し、前記文字情報を処理して処理結果情報を抽出し、
前記特定情報の受信ステップは、
前記携帯電話から前記処理結果情報を受信し、
前記制御ステップは、
前記受信された処理結果情報に従って前記第１アプリケーションの実行状態を制御することを特徴とする請求項１に記載のディスプレイ装置の制御方法。
【請求項６】
前記携帯電話には前記特定情報としてユーザのタッチ操作情報が入力され、
前記特定情報の受信ステップは、
前記携帯電話に入力されたタッチ操作情報を受信し、
前記制御ステップは、
前記受信されたタッチ操作情報を手書き文字認識を通じて文字情報として認識し、前記認識された文字情報に従って前記第１アプリケーションの実行状態を制御することを特徴とする請求項１に記載のディスプレイ装置の制御方法。
【請求項７】
前記携帯電話には前記特定情報としてユーザのタッチ操作情報が入力され、前記携帯電話は手書き文字認識を通じて入力されたタッチ操作情報を文字情報として認識し、前記文字情報を処理して処理結果情報を抽出し、
前記特定情報の受信ステップは、
前記携帯電話から前記処理結果情報を受信し、
前記制御ステップは、
前記受信された処理結果情報に従って前記第１アプリケーションの実行状態を制御することを特徴とする請求項１に記載のディスプレイ装置の制御方法。
【請求項８】
前記携帯電話には前記特定情報としてユーザのタッチ操作情報が入力され、
前記特定情報の受信ステップは、
前記携帯電話に入力されたタッチ操作情報を受信し、
前記制御ステップは、
前記受信されたタッチ操作情報に従って前記第１アプリケーションの実行状態を制御することを特徴とする請求項１に記載のディスプレイ装置の制御方法。
【請求項９】
前記携帯電話には前記特定情報としてユーザのタッチ操作情報が入力され、前記携帯電話は前記タッチ操作情報を処理して処理結果情報を抽出し、
前記特定情報の受信ステップは、
前記携帯電話から前記処理結果情報を受信し、
前記制御ステップは、
前記受信された処理結果情報に従って前記第１アプリケーションの実行状態を制御することを特徴とする請求項１に記載のディスプレイ装置の制御方法。
【請求項１０】
前記携帯電話には前記特定情報としてモーション情報が入力され、
前記特定情報の受信ステップは、
前記携帯電話に入力されたモーション情報を受信し、
前記制御ステップは、
前記受信されたモーション情報に従って前記第１アプリケーションの実行状態を制御することを特徴とする請求項１に記載のディスプレイ装置の制御方法。
【請求項１１】
前記携帯電話からユーザ情報を受信するステップと、
前記受信されたユーザ情報を用いて前記携帯電話のユーザを認識するステップと
を更に含むことを特徴とする請求項１に記載のディスプレイ装置の制御方法。
【請求項１２】
ディスプレイ装置で実行される第１アプリケーションと携帯電話で実行される第２アプリケーションとが保存されたディスプレイ装置と通信できるように接続された携帯電話の制御方法において、
前記第１アプリケーションが前記ディスプレイ装置で実行されている状態で、前記ディスプレイ装置から前記第２アプリケーションを受信するステップと、
前記受信された第２アプリケーションを実行するステップと、
前記第２アプリケーションが実行されている状態で、ユーザ操作に従って前記特定情報が入力されるステップと、
前記入力された特定情報を前記ディスプレイ装置に伝送するステップと
を含む携帯電話の制御方法。
【請求項１３】
前記入力されるステップは、
前記特定情報としてユーザの音声情報が入力され、
前記伝送ステップは、
前記ディスプレイ装置に前記入力された音声情報を伝送することを特徴とする請求項１２に記載の携帯電話の制御方法。
【請求項１４】
前記入力されるステップは、
前記特定情報としてユーザのタッチ操作情報が入力され、
前記伝送ステップは、
前記ディスプレイ装置に前記入力されたタッチ操作情報を伝送することを特徴とする請求項１２に記載の携帯電話の制御方法。
【請求項１５】
前記入力されるステップは、
前記特定情報としてモーション情報が入力され、
前記伝送ステップは、
前記ディスプレイ装置に前記入力されたモーション情報を伝送することを特徴とする請求項１２に記載の携帯電話の制御方法。
【発明の詳細な説明】
【技術分野】
【０００１】
本発明は、ディスプレイ装置及び携帯電話の制御方法に関し、より詳細には、携帯電話を用いてディスプレイ装置にユーザの操作を入力するためのディスプレイ装置及び携帯電話の制御方法に関する。
【背景技術】
【０００２】
テレビは、リモコンを用いて制御されるのが一般的である。しかし、テレビの技術が発展するにつれ、テレビは非常に多様な機能を提供し、アプリケーションを実行させることもできるようになった。しかし、通常のリモコンは機能の制限により、多様なユーザの操作を入力することができない。なお、リモコンの機能を向上させるためには、リモコンの価格の上昇は避けられない。しかし、ユーザは、高価なリモコンの購入を敬遠するのが現実である。
【０００３】
現代人にとって、携帯電話は必需品の一つになっている。なお、携帯電話はユーザが常に持ち歩く物となっている。なお、携帯電話は無線通信が可能であり、リモコンから提供されない多くの機能を提供する。
【０００４】
ユーザはテレビの多様な機能を手軽に利用することを望んでいる。それにより、携帯電話を用いてテレビのようなディスプレイ装置を制御するための方策への模索が求められる。
【発明の概要】
【発明が解決しようとする課題】
【０００５】
そこで、本発明は、上記問題に鑑みてなされたものであり、本発明の目的とするところは、ディスプレイ装置が携帯電話にアプリケーションを伝送し、携帯電話はアプリケーションを実行し、ユーザより特定情報を受け取って伝送し、ディスプレイ装置が特定情報に従ってアプリケーションの状態を制御するディスプレイ装置及び携帯電話の制御方法を提供することにある。
【課題を解決するための手段】
【０００６】
前記目的を達成するための本発明の一実施形態に係る携帯電話と通信できるように接続されたディスプレイ装置の制御方法は、前記ディスプレイ装置で実行される第１アプリケーションと前記携帯電話で実行される第２アプリケーションとを保存するステップと、前記第１アプリケーションを実行するステップと、前記携帯電話に前記第２アプリケーションを伝送するステップと、前記第２アプリケーションが前記携帯電話で実行されている状態で、前記携帯電話から特定情報を受信するステップと、前記受信された特定情報に従って、前記第１アプリケーションの実行状態を制御するステップとを含む。
【０００７】
そして、前記特定情報は、前記携帯電話に入力された情報であってよい。
【０００８】
なお、前記特定情報は、前記携帯電話に入力された情報を前記携帯電話が処理した結果情報であってよい。
【０００９】
そして、前記携帯電話には前記特定情報としてユーザの音声情報が入力され、前記特定情報の受信ステップは、前記携帯電話に入力された音声情報を受信し、前記制御ステップは、前記受信された音声情報を音声認識を通じて文字情報として認識し、前記認識された文字情報に従って前記第１アプリケーションの実行状態を制御してよい。
【００１０】
なお、前記携帯電話には前記特定情報としてユーザの音声情報が入力され、音声認識を通じて入力された音声情報を文字情報として認識し、前記文字情報を処理して処理結果情報を抽出し、前記特定情報の受信ステップは、前記携帯電話から前記処理結果情報を受信し、前記制御ステップは、前記受信された処理結果情報に従って前記第１アプリケーションの実行状態を制御してよい。
【００１１】
そして、前記携帯電話には前記特定情報としてユーザのタッチ操作情報が入力され、前記特定情報の受信ステップは、前記携帯電話に入力されたタッチ操作情報を受信し、前記制御ステップは、前記受信されたタッチ操作情報を手書き文字認識を通じて文字情報として認識し、前記認識された文字情報に従って前記第１アプリケーションの実行状態を制御してよい。
【００１２】
なお、前記携帯電話には前記特定情報としてユーザのタッチ操作情報が入力され、手書き文字認識を通じて入力されたタッチ操作情報を文字情報として認識し、前記文字情報を処理して処理結果情報を抽出し、前記特定情報の受信ステップは、前記携帯電話から前記処理結果情報を受信し、前記制御ステップは、前記受信された処理結果情報に従って前記第１アプリケーションの実行状態を制御してよい。
【００１３】
そして、前記携帯電話には前記特定情報としてユーザのタッチ操作情報が入力され、前記特定情報の受信ステップは、前記携帯電話に入力されたタッチ操作情報を受信し、前記制御ステップは、前記受信されたタッチ操作情報に従って前記第１アプリケーションの実行状態を制御してよい。
【００１４】
なお、前記携帯電話には前記特定情報としてユーザのタッチ操作情報が入力され、前記タッチ操作情報を処理して処理結果情報を抽出し、前記特定情報の受信ステップは、前記携帯電話から前記処理結果情報を受信し、前記制御ステップは、前記受信された処理結果情報に従って前記第１アプリケーションの実行状態を制御してよい。
【００１５】
なお、前記携帯電話には前記特定情報としてモーション情報が入力され、前記特定情報の受信ステップは、前記携帯電話に入力されたモーション情報を受信し、前記制御ステップは、前記受信されたモーション情報に従って前記第１アプリケーションの実行状態を制御してよい。
【００１６】
そして、前記携帯電話からユーザ情報を受信するステップと、前記受信されたユーザ情報を用いて前記携帯電話のユーザを認識するステップとを更に含んでよい。
【００１７】
一方、本発明の一実施形態に係るディスプレイ装置で実行される第１アプリケーションと携帯電話で実行される第２アプリケーションとが保存されたディスプレイ装置と通信できるように接続された携帯電話の制御方法は、前記第１アプリケーションが前記ディスプレイ装置で実行されている状態で、前記ディスプレイ装置から前記第２アプリケーションを受信するステップと、前記受信された第２アプリケーションを実行するステップと、前記第２アプリケーションが実行されている状態で、ユーザ操作に従って前記特定情報が入力されるステップと、前記入力された特定情報を前記ディスプレイ装置に伝送するステップとを含む。
【００１８】
そして、前記入力されるステップは、前記特定情報としてユーザの音声情報が入力され、前記伝送ステップは、前記ディスプレイ装置に前記入力された音声情報を伝送してよい。
【００１９】
なお、前記入力されるステップは、前記特定情報としてユーザのタッチ操作情報が入力され、前記伝送ステップは、前記ディスプレイ装置に前記入力されたタッチ操作情報を伝送してよい。
【００２０】
そして、前記入力されるステップは、前記特定情報としてモーション情報が入力され、前記伝送ステップは、前記ディスプレイ装置に前記入力されたモーション情報を伝送してよい。
【００２１】
一方、本発明の一実施形態に係るディスプレイ装置で実行される第１アプリケーションと携帯電話で実行される第２アプリケーションとが保存されたディスプレイ装置と通信できるように接続された携帯電話の制御方法は、前記第１アプリケーションが前記ディスプレイ装置で実行されている状態で、前記ディスプレイ装置から前記第２アプリケーションを受信するステップと、前記受信された第２アプリケーションを実行するステップと、前記第２アプリケーションが実行されている状態で、ユーザ操作に従って前記特定情報が入力されるステップと、前記入力された特定情報を処理して処理結果情報を抽出するステップと、前記抽出された処理結果情報を前記ディスプレイ装置に伝送するステップとを含んでよい。
【００２２】
そして、前記入力されるステップは、前記特定情報としてユーザの音声情報が入力され、前記処理ステップは、音声認識を通じて前記入力された音声情報を文字情報として認識し、前記文字情報を処理して処理結果情報を抽出し、前記伝送ステップは、前記ディスプレイ装置に前記抽出された結果情報を伝送してよい。
【００２３】
なお、前記入力されるステップは、前記特定情報としてユーザのタッチ操作情報が入力され、前記処理ステップは、手書き文字認識を通じて前記入力されたタッチ操作情報を文字情報として認識し、前記文字情報を処理して処理結果情報を抽出し、前記伝送ステップは、前記ディスプレイ装置に前記抽出された処理結果情報を伝送してよい。
【００２４】
そして、前記入力されるステップは、前記特定情報としてユーザのタッチ操作情報が入力され、前記処理ステップは、前記タッチ操作情報を処理して処理結果情報を抽出し、前記伝送ステップは、前記ディスプレイ装置に前記抽出された処理結果情報を伝送してよい。
【図面の簡単な説明】
【００２５】
【図１】本発明の一実施形態に係るテレビと携帯電話の制御システムを示す図である。
【図２】本発明の一実施形態に係るテレビと携帯電話の詳細な構造を示すブロック図である。
【図３】本発明の一実施形態に係るテレビが特定情報を処理するテレビと携帯電話の制御方法について説明するために提供されるフローチャートである。
【図４】本発明の一実施形態に係る携帯電話が特定情報を処理するテレビと携帯電話の制御方法について説明するために提供されるフローチャートである。
【図５】本発明の一実施形態に係るユーザが携帯電話に音声を入力すると、音声情報がテレビに伝送される場合を示す図である。
【図６】本発明の一実施形態に係るユーザが携帯電話に音声を入力すると、処理結果情報がテレビに伝送される場合を示す図である。
【図７】本発明の一実施形態に係るユーザが携帯電話にタッチ操作を入力すると、タッチ操作情報がテレビに伝送される場合を示す図である。
【図８】本発明の一実施形態に係るユーザが携帯電話にタッチ操作を入力すると、タッチ操作情報がテレビに伝送される場合を示す図である。
【図９】本発明の一実施形態に係るユーザが携帯電話にモーション情報を入力すると、モーション情報がテレビに伝送される場合を示す図である。
【図１０】本発明の一実施形態に係るユーザが携帯電話にモーション情報を入力すると、処理結果情報がテレビに伝送される場合を示す図である。
【図１１】本発明の一実施形態に係るユーザが携帯電話に手書き文字タッチ操作を入力すると、タッチ操作情報がテレビに伝送される場合を示す図である。
【図１２】本発明の一実施形態に係るユーザが携帯電話に手書き文字タッチ操作を入力すると、処理結果情報がテレビに伝送される場合を示す図である。
【図１３】本発明の一実施形態に係るユーザが携帯電話に手書き文字タッチ操作を入力すると、イメージ情報がテレビに伝送される場合を示す図である。
【図１４】本発明の一実施形態に係るユーザが携帯電話に手書き文字タッチ操作を入力すると、処理結果情報がテレビに伝送される場合を示す図である。
【図１５】本発明の一実施形態に係るユーザが入力した情報が正解と一致するか否かを表示する画面を示す図である。
【図１６】本発明の一実施形態に係る一つのテレビに複数個の携帯電話が接続された場合を示す図である。
【発明を実施するための形態】
【００２６】
以下に添付図面を参照しながら、本発明の好適な実施形態について詳細に説明する。
【００２７】
図１は、本発明の一実施形態に係るテレビ１００と携帯電話２００の制御システムを示す図である。図１に示すように、テレビ１００は、携帯電話２００と相互通信ができるように接続される。具体的に、テレビ１００と携帯電話２００は、ブルートゥース、Ｚｉｇｂｅｅ(登録商標)、又は無線ＬＡＮなどの無線通信網を通じて相互通信ができるように接続される。
【００２８】
テレビ１００は、アプリケーションを保存及び実行することができる。具体的に、テレビ１００は、一つのアプリケーションに対してテレビ用のアプリケーションと携帯電話用のアプリケーションとを併せて保存することもできる。そして、テレビ１００は、携帯電話用のアプリケーションを携帯電話２００に伝送する。
【００２９】
ここで、テレビ用のアプリケーションとは、テレビで実行するために提供されるアプリケーションのことを意味する。テレビ用のアプリケーションは、画面に各種情報及び映像を表示する機能を具備する。
【００３０】
携帯電話用のアプリケーションとは、携帯電話で実行するために提供されるアプリケーションのことを意味する。携帯電話用のアプリケーションは、携帯電話がユーザインターフェース機器として使用できるようにする機能を具備する。
【００３１】
テレビ１００と携帯電話２００とが、相互通信できるように接続されている状態で、テレビ用のアプリケーションと携帯電話用のアプリケーションとは、相互連動して実行される。従って、テレビ用のアプリケーションと携帯電話用のアプリケーションとが実行されている状態で、携帯電話２００にユーザの所望の操作を入力した場合、テレビ１００は入力された操作に従ってテレビ用のアプリケーションの実行状態を制御するようになる。
【００３２】
例えば、クイズゲームアプリケーションを例にとって説明すると、テレビ用のアプリケーションはテレビ１００でクイズ内容、クイズの正否及びクイズの実行過程が実行及び表示されるようにする機能を具備する。そして、携帯電話用のアプリケーションは、携帯電話２００で正解が入力されるようにする機能をもつ。従って、テレビ１００は、画面にクイズ内容を表示し、携帯電話２００にはユーザからクイズの正解に対する操作情報が入力されるようになる。
【００３３】
このように、テレビ１００と携帯電話２００の制御システムを用いると、ユーザは携帯電話２００を用いてテレビ１００で実行されるアプリケーションを制御できるようになる。
【００３４】
図２は、本発明の一実施形態に係るテレビ１００と携帯電話２００の詳細な構造を示すブロック図である。図２に示すように、テレビ１００は、放送受信部１１０と、映像処理部１２０と、ディスプレイ部１３０と、保存部１４０と、操作部１５０と、通信部１６０及び制御部１７０を含む。
【００３５】
放送受信部１１０は、放送局又は衛星から有線又は無線により放送信号を受信して復調する。そして、放送受信部１１０は、受信された放送信号を映像処理部１２０に伝送する。
【００３６】
映像処理部１２０は、放送受信部１１０から伝送された放送信号に対する圧縮解除や鮮明度の補正などの信号処理を行う。そして、映像処理部１２０は、圧縮が解除され、鮮明度の向上した放送映像をディスプレイ部１３０に伝送する。
【００３７】
ディスプレイ部１３０は、映像処理部１２０から伝送された放送映像を画面に出力させる。
【００３８】
保存部１４０は、テレビ１００を動作させるための各種プログラムを保存する。なお、保存部１４０は、多様なアプリケーションを保存する。具体的に、保存部１４０は一つのアプリケーションに対してテレビ用のアプリケーションと携帯電話用のアプリケーションとを併せて保存することもできる。
【００３９】
ここで、テレビ用のアプリケーションとは、テレビで実行するために提供されるアプリケーションのことを意味する。例えば、テレビ用のアプリケーションは、画面に各種情報及び映像を表示する機能を具備する。
【００４０】
携帯電話用のアプリケーションとは、携帯電話で実行するために提供されるアプリケーションのことを意味する。例えば、携帯電話用のアプリケーションは、携帯電話がユーザインターフェース機器として使用できるようにする機能を具備する。
【００４１】
このような保存部１４０は、ハードディスクや非揮発性メモリなどで実現されてよい。
【００４２】
操作部１５０は、ユーザの命令が入力されて制御部１７０に伝送する。操作部１５０は、リモコン（図示せず）、テレビ１００に設けられた操作ボタン（図示せず）、又はタッチスクリーンなどを通じて実現されてよい。
【００４３】
通信部１６０は、有無線通信網を通じて外部機器と通信できるように接続される。具体的に、通信部１６０は、ブルートゥース、Ｚｉｇｂｅｅ(登録商標)、及び無線ＬＡＮなどを用いた無線通信網を通じて携帯電話２００と通信できるように接続される。そして、通信部１６０は、携帯電話２００に携帯電話用のアプリケーションを伝送する。
【００４４】
制御部１７０は、テレビ１００の動作の全般を制御する。具体的に、制御部１７０は、テレビ用のアプリケーションを実行させる。そして、制御部１７０は、携帯電話２００に携帯電話用のアプリケーションが伝送されるように制御する。なお、制御部１７０は、携帯電話用のアプリケーションが携帯電話２００で実行されている状態で、携帯電話２００から特定情報を受信する。
【００４５】
ここで、特定情報は、テレビ用のアプリケーションを制御するための情報に該当する。具体的に、特定情報は、携帯電話２００を介して入力されたユーザの操作に関連した情報又は携帯電話２００によって処理された結果情報であってよい。
【００４６】
ユーザの操作に関連した情報は、ユーザが携帯電話２００を操作することで入力される情報である。携帯電話２００は、ユーザの音声情報と、タッチ操作情報及びモーション情報が入力されてよい。従って、特定情報がユーザの操作に関連した情報である場合、特定情報はユーザの音声情報と、特定操作情報及びモーション情報のうち、いずれか一つであってよい。
【００４７】
処理結果情報とは、携帯電話２００がユーザによって入力された情報を処理した処理結果情報のことを意味する。ここで、処理とは、テレビ用のアプリケーションで要求される処理のことを意味する。例えば、テレビ用のアプリケーションがクイズアプリケーションである場合、処理はユーザによって入力された情報が正解であるか否かに対する処理のことを意味するようになる。携帯電話２００は、ユーザによって入力された情報を処理して、処理された結果をテレビ１００に伝送してよい。この場合、特定情報は処理された結果情報になる。例えば、テレビ用のアプリケーションがクイズアプリケーションである場合、携帯電話２００はユーザから入力された音声情報と、タッチ操作情報及びモーション情報を用いてクイズの正否を処理することができる。従って、この場合、処理結果情報はクイズ正否情報になる。即ち、テレビ１００は、携帯電話２００からクイズ正否情報を受信するようになる。
【００４８】
そして、制御部１７０は、受信された特定情報に従ってテレビ用のアプリケーションの実行状態を制御する。
【００４９】
具体的に、携帯電話２００に特定情報としてユーザの音声情報が入力された場合、制御部１７０は携帯電話２００から音声情報を受信するようになる。そして、制御部１７０は、受信された音声情報を音声認識を通じて文字情報として認識し、認識された文字情報に従ってテレビ用のアプリケーションの実行状態を制御する。
【００５０】
なお、携帯電話２００が入力された音声情報を直接処理することもできる。具体的に、携帯電話２００には、特定情報としてユーザの音声情報が入力され、音声認識を通じて入力された音声情報を文字情報として認識し、文字情報を処理して処理結果情報を抽出するようになる。この場合、制御部１７０は、携帯電話２００から処理結果情報を受信する。そして、制御部１７０は、受信された処理結果情報に従ってテレビ用のアプリケーションの実行状態を制御する。
【００５１】
そして、携帯電話２００に特定情報としてユーザのタッチ操作情報が入力される場合、制御部１７０は携帯電話２００から入力されたタッチ操作情報を受信する。そして、制御部１７０は、受信されたタッチ操作情報に従ってテレビ用のアプリケーションの実行状態を制御する。
【００５２】
なお、制御部１７０は、受信されたタッチ操作情報を手書き文字認識を通じて文字情報として認識することもできる。この場合、制御部１７０は、認識された文字情報に従ってテレビ用のアプリケーションの実行状態を制御するようになる。
【００５３】
そして、携帯電話２００に特定情報としてユーザのタッチ操作情報が入力され、手書き文字認識を通じて入力されたタッチ操作情報を文字情報として認識し、文字情報を処理して処理結果情報を抽出することもできる。この場合、制御部１７０は、携帯電話２００から処理結果情報を受信し、受信された処理結果情報に従ってテレビ用のアプリケーションの実行状態を制御する。
【００５４】
なお、携帯電話２００に特定情報としてユーザのタッチ操作情報が入力され、タッチ操作情報を処理して処理結果情報を抽出することもできる。この場合、制御部１７０は、携帯電話２００から処理結果情報を受信し、受信された処理結果情報に従ってテレビ用のアプリケーションの実行状態を制御する。
【００５５】
そして、携帯電話２００には、特定情報としてモーション情報が入力されてよい。この場合、制御部１７０は、携帯電話２００から入力されたモーション情報を受信し、受信されたモーション情報に従ってテレビ用のアプリケーションの実行状態を制御する。
【００５６】
このように、制御部１７０は、多様な種類の特定情報を携帯電話２００から受信して、それに従ってテレビ用のアプリケーションの実行状態を制御するようになる。
【００５７】
一方、制御部１７０は、携帯電話２００からユーザ情報を受信してよい。そして、制御部１７０は受信されたユーザ情報を用いて携帯電話２００のユーザを認識するようになる。このように、制御部１７０が携帯電話２００のユーザを認識することにより、複数個の携帯電話が接続された場合にも、各携帯電話を識別できるようになる。従って、複数の携帯電話が接続された場合、制御部１７０は特定情報が受信された携帯電話がどの携帯電話かを区別できるようになる。それを用いて、制御部１７０はテレビ用のアプリケーションを複数のユーザが利用できるようにする。
【００５８】
このように、テレビ１００は、携帯電話２００から特定情報を受信し、テレビ用のアプリケーションを実行させるようになる。
【００５９】
図２に示すように、携帯電話２００は、通信部２１０と、ディスプレイ部２１５と、保存部２２０と、音声入力部２３０と、音声出力部２４０と、タッチ検出部２５０と、モーション検出部２６０及び制御部２７０を含む。
【００６０】
通信部２１０は、移動通信網、無線通信網やインターネット網を通じて外部機器に接続できるように連結される。具体的に、通信部２１０は、移動通信網、無線通信網やインターネット網を通じてテレビ１００に接続できるように連結される。ここで、移動通信網は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）(登録商標)通信網又はＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信網などであってよい。そして、無線通信網は、ブルートゥース、Ｚｉｇｂｅｅ(登録商標)などを通じて接続される。そして、インターネット網は、無線ＬＡＮを通じて接続される。
【００６１】
なお、通信部２１０は特定情報をテレビ１００に伝送する。ここで、特定情報は、テレビ用のアプリケーションを制御するための情報に該当する。具体的に、特定情報は、携帯電話２００の音声入力部２３０と、タッチ検出部２５０及びモーション検出部２６０を介して入力されたユーザの入力に関連した情報又は携帯電話２００の制御部２７０によって処理された結果情報であってよい。
【００６２】
ディスプレイ部２１５は、携帯電話２００の機能を提供するための映像をディスプレイする。なお、ディスプレイ部２１５は、ユーザの操作のためのＧＵＩ（Ｇｒａｐｈｉｃ  Ｕｓｅｒ  Ｉｎｔｅｒｆａｃｅ）を画面にディスプレイするようになる。具体的に、ディスプレイ部２１５は、携帯電話用のアプリケーションが実行される画面をディスプレイする。
【００６３】
保存部２２０は、携帯電話２００の各種機能を行うためのプログラムが保存されている。なお、保存部２２０は、テレビ１００から受信された携帯電話用のアプリケーションが保存される。このような、保存部２２０は、ハードディスクや非揮発性メモリなどで実現されてよい。
【００６４】
音声入力部２３０は、ユーザの音声が入力される。具体的に、音声入力部２３０は、ユーザの音声を電気的信号で構成されている音声情報に変換し、変換された音声情報を制御部２７０に伝送する。
【００６５】
音声出力部２４０は、制御部２７０から伝送された音声信号をスピーカなどで出力する。
【００６６】
タッチ検出部２５０は、ユーザのタッチ操作情報を検出する。具体的に、タッチ検出部２５０は、ディスプレイ画面に対するユーザのタッチ操作を検出するタッチスクリーン形態で実現されてよい。そして、タッチ検出部２５０は、検出されたユーザのタッチ操作情報を制御部２７０に伝送する。
【００６７】
モーション検出部２６０は、携帯電話２００の動きに対するモーション情報を検出する。具体的に、モーション検出部２６０は、加速度センサ、角速度センサなどで実現されてよい。そして、モーション検出部２６０は、検出されたモーション情報を制御部２７０に伝送する。
【００６８】
制御部２７０は、携帯電話２００の動作の全般を制御する。具体的に、制御部２７０は、テレビ用のアプリケーションがテレビ１００で実行されている状態で、テレビ１００から携帯電話用のアプリケーションを受信する。そして、制御部２７０は受信された携帯電話用のアプリケーションを実行する。そして、制御部２７０は、携帯電話用のアプリケーションが実行されている状態で、ユーザの操作に従って特定情報が入力され、入力された特定情報をテレビ１００に伝送する。
【００６９】
携帯電話２００には音声入力部２３０を介してユーザの音声情報が入力され、タッチ検出部２５０を介してユーザのタッチ操作情報が入力され、モーション検出部２６０を介して携帯電話２００のモーション情報が入力されてよい。従って、特定情報がユーザの操作に関連した情報である場合、特定情報はユーザの音声情報、タッチ操作情報及びモーション情報のうち、いずれか一つであってよい。
【００７０】
具体的に、制御部２７０は、音声入力部２３０を介して特定情報としてユーザの音声情報が入力されると、入力された音声情報をテレビ１００に伝送する。なお、制御部２７０は、タッチ検出部２５０を介して特定情報としてユーザのタッチ操作情報が入力されると、入力されたタッチ操作情報をテレビ１００に伝送する。そして、制御部２７０は、モーション検出部２６０を介して特定情報としてモーション情報が入力されると、テレビ１００に入力されたモーション情報を伝送する。
【００７１】
一方、制御部２７０が特定情報を処理することができる場合、制御部２７０は携帯電話用のアプリケーションが実行されている状態で、ユーザの操作に従って特定情報が入力される。そして、制御部２７０は入力された特定情報を処理して処理結果情報を抽出し、抽出された処理結果情報をテレビ１００に伝送する。
【００７２】
処理結果情報とは、携帯電話２００がユーザによって入力された情報を処理した処理結果情報のことを意味する。ここで、処理とは、テレビ用のアプリケーションで要求される処理のことを意味する。例えば、テレビ用のアプリケーションがクイズアプリケーションである場合、処理はユーザによって入力された情報が正解であるか否かに対する処理のことを意味するようになる。携帯電話２００は、ユーザによって入力された情報を処理して、処理された結果をテレビ１００に伝送することもできる。この場合、特定情報は処理された結果情報になる。例えば、テレビ用のアプリケーションがクイズアプリケーションである場合、携帯電話２００はユーザから入力された音声情報と、タッチ操作情報及びモーション情報を用いてクイズの正否を処理することができる。従って、この場合、処理結果情報はクイズ正否情報になる。即ち、テレビ１００は、携帯電話２００からクイズ正否情報を受信するようになる。
【００７３】
具体的に、制御部２７０は、特定情報としてユーザの音声情報が入力されると、音声認識を通じて入力された音声情報を文字情報として認識する。そして、制御部２７０は、文字情報を処理して処理結果情報を抽出する。なお、制御部２７０は、テレビ１００に抽出された結果情報が伝送されるように制御する。
【００７４】
なお、制御部２７０は、特定情報としてユーザのタッチ操作情報が入力されると、手書き文字認識を通じて入力されたタッチ操作情報を文字情報として認識する。そして、制御部２７０は、文字情報を処理して処理結果情報を抽出する。なお、制御部２７０は、抽出された処理結果情報がテレビ１００に伝送されるように制御する。
【００７５】
そして、制御部２７０は、特定情報としてユーザのタッチ操作情報が入力されると、タッチ操作情報を処理して処理結果情報を抽出する。そして、制御部２７０は、抽出された処理結果情報がテレビ１００に伝送されるように制御する。
【００７６】
このように、携帯電話２００は、ユーザより特定情報が入力されてテレビ１００に伝送したり、入力された特定情報を処理して処理結果情報をテレビ１００に伝送するようになる。
【００７７】
以下では、図３及び図４を参照しながら、テレビ１００と携帯電話２００の制御方法について詳細に説明する。図３は、本発明の一実施形態に係るテレビ１００が特定情報を処理するテレビ１００と携帯電話２００の制御方法について説明するために提供されるフローチャートである。
【００７８】
まず、テレビ１００は、テレビ用のアプリケーション及び携帯電話用のアプリケーションを保存する（Ｓ３１０）。そして、テレビ１００は、テレビ用のアプリケーションを実行する（Ｓ３１５）。その後、テレビ１００は、携帯電話用のアプリケーションを伝送する（Ｓ３２０）。
【００７９】
すると、携帯電話２００は、携帯電話用のアプリケーションを受信する（Ｓ３２２）。そして、携帯電話２００は、携帯電話用のアプリケーションを実行させる（Ｓ３２４）。
【００８０】
その後に、携帯電話２００には、ユーザの操作に従って特定情報が入力される（Ｓ３２６）。そして、携帯電話２００は、入力された特定情報をテレビ１００に伝送する。具体的に、携帯電話２００には音声入力部２３０を介してユーザの音声情報が入力され、タッチ検出部２５０を介してユーザのタッチ操作情報が入力され、モーション検出部２６０を介して携帯電話２００のモーション情報が入力されてよい。従って、特定情報がユーザの操作に関連した情報である場合、特定情報は、ユーザの音声情報と、タッチ操作情報及びモーション情報のうち、いずれか一つであってよい。
【００８１】
具体的に、携帯電話２００は、音声入力部２３０を介して特定情報としてユーザの音声情報が入力されると、入力された音声情報をテレビ１００に伝送する。なお、携帯電話２００は、タッチ検出部２５０を介して特定情報としてユーザのタッチ操作情報が入力されると、入力されたタッチ操作情報をテレビ１００に伝送する。そして、携帯電話２００は、モーション検出部２６０を介して特定情報としてモーション情報が入力されると、テレビ１００に入力されたモーション情報を伝送する。
【００８２】
すると、テレビ１００は、携帯電話２００から特定情報を受信する（Ｓ３３０）。そして、テレビ１００は、受信された特定情報を処理して処理結果情報を抽出する（Ｓ３３５）。その後に、テレビ１００は、処理結果情報に従ってテレビ用のアプリケーションの実行状態を制御するようになる（Ｓ３４０）。
【００８３】
具体的に、携帯電話２００に特定情報としてユーザの音声情報が入力された場合、テレビ１００は携帯電話２００から音声情報を受信するようになる。そして、テレビ１００は、受信された音声情報を音声認識を通じて文字情報として認識し、認識された文字情報に従ってテレビ用のアプリケーションの実行状態を制御する。
【００８４】
そして、携帯電話２００に特定情報としてユーザのタッチ操作情報が入力された場合、テレビ１００は、携帯電話２００から入力されたタッチ操作情報を受信する。そして、テレビ１００は受信されたタッチ操作情報に従ってテレビ用のアプリケーションの実行状態を制御する。なお、テレビ１００は受信されたタッチ操作情報を手書き文字認識を通じて文字情報として認識することもできる。この場合、テレビ１００は、認識された文字情報に従ってテレビ用のアプリケーションの実行状態を制御するようになる。
【００８５】
そして、携帯電話２００には、特定情報としてモーション情報が入力されてよい。この場合、テレビ１００は、携帯電話２００から入力されたモーション情報を受信し、受信されたモーション情報に従ってテレビ用のアプリケーションの実行状態を制御する。
【００８６】
このように、テレビ１００は、多様な種類の特定情報を携帯電話２００から受信し、それに従って、テレビ用のアプリケーションの実行状態を制御するようになる。
【００８７】
図４は、本発明の一実施形態に係る携帯電話２００が特定情報を処理するテレビ１００と携帯電話２００の制御方法について説明するために提供されるフローチャートである。
【００８８】
まず、テレビ１００は、テレビ用のアプリケーション及び携帯電話用のアプリケーションを保存する（Ｓ３５０）。そして、テレビ１００は、テレビ用のアプリケーションを実行する（Ｓ３５５）。その後、テレビ１００は、携帯電話用のアプリケーションを伝送する（Ｓ３６０）。
【００８９】
すると、携帯電話２００は、携帯電話用のアプリケーションを受信する（Ｓ３６２）。そして、携帯電話２００は、携帯電話用のアプリケーションを実行させる（Ｓ３６４）。
【００９０】
その後に、携帯電話２００には、ユーザの操作に従って特定情報が入力される（Ｓ３６６）。そして、携帯電話２００は、入力された特定情報をテレビ１００に伝送する。具体的に、携帯電話２００には音声入力部２３０を介してユーザの音声情報が入力され、タッチ検出部２５０を介してユーザのタッチ操作情報が入力され、モーション検出部２６０を介して携帯電話２００のモーション情報が入力されてよい。従って、特定情報がユーザの操作に関連した情報である場合、特定情報は、ユーザの音声情報と、タッチ操作情報及びモーション情報のうち、いずれか一つであってよい。
【００９１】
具体的に、携帯電話２００は、音声入力部２３０を介して特定情報としてユーザの音声情報が入力されると、入力された音声情報をテレビ１００に伝送する。なお、携帯電話２００はタッチ検出部２５０を介して特定情報としてユーザのタッチ操作情報が入力されると、入力されたタッチ操作情報をテレビ１００に伝送する。そして、携帯電話２００は、モーション検出部２６０を介して特定情報としてモーション情報が入力されると、テレビ１００に入力されたモーション情報を伝送する。
【００９２】
そして、携帯電話２００は、入力された特定情報を処理して処理結果情報を抽出する（Ｓ３６８）。その後に、携帯電話２００は、処理結果情報をテレビ１００に伝送する（Ｓ３６９）。
【００９３】
具体的に、携帯電話２００は特定情報としてユーザの音声情報が入力されると、音声認識を通じて入力された音声情報を文字情報として認識する。そして、携帯電話２００は、文字情報を処理して処理結果情報を抽出する。なお、携帯電話２００は、テレビ１００に抽出された結果情報を伝送する。
【００９４】
なお、携帯電話２００は特定情報としてユーザのタッチ操作情報が入力されると、手書き文字認識を通じて入力されたタッチ操作情報を文字情報として認識する。そして、携帯電話２００は、文字情報を処理して処理結果情報を抽出する。なお、携帯電話２００は、抽出された処理結果情報をテレビ１００に伝送する。
【００９５】
そして、携帯電話２００は、特定情報としてユーザのタッチ操作情報が入力されると、タッチ操作情報を処理して処理結果情報を抽出する。そして、携帯電話２００は、抽出された処理結果情報をテレビ１００に伝送する。
【００９６】
このように、携帯電話２００にはユーザより特定情報が入力され、入力された特定情報を処理して処理結果情報をテレビ１００に伝送するようになる。
【００９７】
すると、テレビ１００は処理結果情報を受信する（Ｓ３７０）。そして、テレビ１００は、処理結果情報に従ってテレビ用のアプリケーションの実行状態を制御する（Ｓ３８０）。
【００９８】
このように、テレビ１００は多様な種類の処理結果情報を携帯電話２００から受信し、それに従ってテレビ用のアプリケーションの実行状態を制御するようになる。
【００９９】
以下では、図５ないし図１５を参照しながら、クイズアプリケーションが実行される場合を例にとって説明する。
【０１００】
図５は、本発明の一実施形態に係るユーザが携帯電話２００に音声を入力すると、音声情報がテレビ１００に伝送される場合を示す図である。図５に示すように、ユーザがクイズの正解を入力するために携帯電話２００に音声を入力すると、携帯電話２００は音声情報をテレビ１００に伝送することもできる。すると、テレビ１００は、受信された音声情報が正解か否かを処理し、正否を表示するようにテレビ用のクイズアプリケーションを実行するようになる。
【０１０１】
図６は、本発明の一実施形態に係るユーザが携帯電話２００に音声を入力すると、処理結果情報がテレビ１００に伝送される場合を示す図である。図６に示すように、ユーザがクイズの正解を入力するために携帯電話２００に音声を入力すると、携帯電話２００は入力された音声情報を処理して処理結果情報（即ち、クイズ正否情報）をテレビ１００に伝送することもできる。すると、テレビ１００は、受信された処理結果情報を用いて、正解か否かを表示するようにテレビ用のクイズアプリケーションを実行するようになる。
【０１０２】
図７は、本発明の一実施形態に係るユーザが携帯電話２００にタッチ操作を入力すると、タッチ操作情報がテレビ１００に伝送される場合を示す図である。図７に示すように、ユーザがクイズの正解を入力するために携帯電話２００に表示された正解アイコン５００に対するタッチ操作を入力されると、携帯電話２００はタッチ操作情報をテレビ１００に伝送することもできる。すると、テレビ１００は受信されたタッチ操作情報が正解か否かを処理して、正否を表示するようにテレビ用のクイズアプリケーションを実行するようになる。
【０１０３】
図８は、本発明の一実施形態に係るユーザが携帯電話２００にタッチ操作を入力すると、タッチ操作情報がテレビ１００に伝送される場合を示す図である。図８に示すように、ユーザがクイズの正解を入力するために携帯電話２００に表示された正解アイコン５００に対するタッチ操作を入力すると、携帯電話２００はタッチ操作情報を処理して処理結果情報（即ち、クイズ正否情報）をテレビ１００に伝送することもできる。すると、テレビ１００は受信された処理結果情報を用いて、正解か否かを表示するようにテレビ用のクイズアプリケーションを実行するようになる。
【０１０４】
図９は、本発明の一実施形態に係るユーザが携帯電話２００にモーション情報を入力すると、モーション情報がテレビ１００に伝送される場合を示す図である。図９に示すように、ユーザがクイズの正解を入力するために携帯電話２００に対するモーションを入力すると、携帯電話２００はモーション情報をテレビ１００に伝送することもできる。すると、テレビ１００は受信されたモーション情報が正解か否かを処理し、正否を表示するようにテレビ用のクイズアプリケーションを実行するようになる。
【０１０５】
図１０は、本発明の一実施形態に係るユーザが携帯電話２００にモーション情報を入力すると、処理結果情報がテレビ１００に伝送される場合を示す図である。図１０に示すように、ユーザがクイズの正解を入力するために携帯電話２００に対するモーションを入力すると、携帯電話２００はモーション情報を処理して処理結果情報をテレビ１００に伝送することもできる。すると、テレビ１００は、受信された処理結果情報を用いて、正解か否かを表示するようにテレビ用のクイズアプリケーションを実行するようになる。
【０１０６】
図１１は、本発明の一実施形態に係るユーザが携帯電話２００に手書き文字タッチ操作を入力すると、タッチ操作情報がテレビ１００に伝送される場合を示す図である。図１１に示すように、ユーザがクイズの正解を入力するために携帯電話２００のタッチスクリーンに手書き文字の形態のタッチ操作を入力すると、携帯電話２００はタッチ操作情報をテレビ１００に伝送することもできる。すると、テレビ１００は手書き文字認識を用いて受信されたタッチ操作情報を文字として認識し、認識された文字が正解か否かを処理して、正否を表示するようにテレビ用のクイズアプリケーションを実行するようになる。
【０１０７】
図１２は、本発明の一実施形態に係るユーザが携帯電話２００に手書き文字タッチ操作を入力すると、処理結果情報がテレビ１００に伝送される場合を示す図である。図１２に示すように、ユーザがクイズの正解を入力するために携帯電話２００のタッチスクリーンに手書き文字の形態のタッチ操作を入力すると、携帯電話２００は手書き文字認識を用いてタッチ操作情報を文字として認識し、認識された文字が正解か否かを処理して、処理結果情報（即ち、クイズ正否情報）をテレビ１００に伝送することもできる。すると、テレビ１００は受信された処理結果情報を用いて、正解か否かを表示するようにテレビ用のクイズアプリケーションを実行するようになる。
【０１０８】
図１３は、本発明の一実施形態に係るユーザが携帯電話２００に手書き文字タッチ操作を入力すると、イメージ情報がテレビ１００に伝送される場合を示す図である。図１３に示すように、ユーザがクイズの正解を入力するために携帯電話２００のタッチスクリーンに手書き文字の形態のタッチ操作を入力すると、携帯電話２００はタッチ操作によって生成されたイメージ情報をテレビ１００に伝送することもできる。すると、テレビ１００は、イメージ情報を用いて正解か否かを処理し、正否を表示するようにテレビ用のクイズアプリケーションを実行するようになる。
【０１０９】
図１４は、本発明の一実施形態に係るユーザが携帯電話２００に手書き文字タッチ操作を入力すると、処理結果情報がテレビ１００に伝送される場合を示す図である。図１４に示すように、ユーザがクイズの正解を入力するために携帯電話２００のタッチスクリーンに手書き文字の形態のタッチ操作を入力すると、携帯電話２００は手書き文字認識を用いてタッチ操作情報をイメージとして認識し、認識されたイメージが正解か否かを処理し、処理結果情報（即ち、一致情報）をテレビ１００に伝送することもできる。すると、テレビ１００は受信された処理結果情報を用いて、正解か否かを表示するようにテレビ用のクイズアプリケーションを実行するようになる。
【０１１０】
図１５は、本発明の一実施形態に係るユーザが入力した情報が正解と一致するか否かを表示する画面を示す図である。図１５に示すように、ユーザが入力した手書き文字が回答が不一致の場合、テレビ１００は不一致というメッセージが画面に表示されるようにテレビ用のアプリケーションの実行状態を制御するようになる。
【０１１１】
このように、テレビ１００には、携帯電話２００で特定情報が入力され、それに従って、クイズアプリケーションを実行できるようにもなる。図１６は、本発明の一実施形態に係る一つのテレビ１００に複数個の携帯電話２００−１、２００−２、２００−３が接続された場合を示す図である。図１６に示すように、テレビ１００は複数個の携帯電話２００−１、２００−２、２００−３から特定情報を受信することもできる。そして、テレビ１００は、複数個の携帯電話２００−１、２００−２、２００−３の各々から受信されたデータを区別して処理するようになる。従って、テレビ１００は、複数個の携帯電話２００−１、２００−２、２００−３を用いてテレビ用のアプリケーションを制御できるようになる。
【０１１２】
一方、本実施形態において、ディスプレイ装置はテレビ１００であるものとして説明してきたが、アプリケーションを実行させることのできる装置なら如何なるものであっても適用されてよい。
【０１１３】
一方、本実施形態において、移動通信端末は携帯電話２００であるものとして説明してきたが、アプリケーションを実行させることができ、各種操作が入力され得る移動通信端末なら如何なるものであっても可能である。例えば、移動通信端末は携帯電話以外にも、ＰＤＡなどであってよい。
【０１１４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１５】
１００  テレビ
１１０  放送受信部
１２０  映像処理部
１３０  ディスプレイ部
１４０  保存部
１７０  制御部
１５０  操作部
１６０  通信部
２００  携帯電話
２１０  通信部
２１５  ディスプレイ部
２２０  保存部
２５０  タッチ検出部
２７０  制御部
２３０  音声入力部
２４０  音声出力部
２５０  タッチ検出部
５００  正解アイコン
【図１】
2013505631.tif 000003
【図２】
2013505631.tif 000004
【図３】
2013505631.tif 000005
【図４】
2013505631.tif 000006
【図５】
2013505631.tif 000007
【図６】
2013505631.tif 000008
【図７】
2013505631.tif 000009
【図８】
2013505631.tif 000010
【図９】
2013505631.tif 000011
【図１０】
2013505631.tif 000012
【図１１】
2013505631.tif 000013
【図１２】
2013505631.tif 000014
【図１３】
2013505631.tif 000015
【図１４】
2013505631.tif 000016
【図１５】
2013505631.tif 000017
【図１６】
2013505631.tif 000018
【国際調査報告】
2013505631.tif 000019
2013505631.tif 000020